(57)【要約】【課題】  ＬＥＤ光源を用いた装飾用照明装置において、ＬＥＤ光源特有の欠点ともいえる透明な（冷たい）感じを緩和し、更には眩しい感じの輝きを柔らげ、幻想的で癒しの効果のある装飾的な明かりを発する照明装置を提供すること。【解決手段】  放光面板の中心及び中心から外周方向に渡って、半径寸法がそれぞれ異なる複数の同心円上に、直径寸法がφ１ｍｍ乃至φ１０ｍｍで厚みが１ｍｍ乃至４ｍｍの円板に、孔径がφ０．１ｍｍ乃至φ０．７ｍｍの細孔を７個以上形成した細管からなり、しかも直径寸法の異なる少なくとも１種類の導光部材を複数個ずつ配設するとともに、照明装置内部に組込んだ基板に、ＬＥＤ発光体を前記導光部材と対向する位置に取付けて、ＬＥＤ発光体の光を導光部材の細孔を通して放光面板から放光するようにした。【選択図】図１
2015005487.tif 000002
【特許請求の範囲】
【請求項１】
放光面板とＬＥＤ光源を取付ける基板と、裏面及び外周用カバーとスタンド部とからなる照明装置において、放光面板の中心及び中心から外周方向に渡って半径寸法がそれぞれ異なる複数の同心円上に導光部材を複数個ずつ配設するとともに、照明装置内部に組込んだ基板に、ＬＥＤ発光体を前記導光部材と対向する位置に取付けて、ＬＥＤ発光体の光を導光部材を通して、前記放光面板から放光するようにした装飾的な明かりを発する照明装置。
【請求項２】
導光部材は、直径寸法がφ１ｍｍ乃至φ１０ｍｍの範囲内で、厚みが１ｍｍ乃至４ｍｍの円板に、孔径寸法がφ０．１ｍｍ乃至φ０．７ｍｍの細孔を７個以上形成した細管の内、前記直径寸法の異なる少なくとも１種類の細管からなることを特徴とする請求項１に記載の装飾的な明かりを発する照明装置。
【請求項３】
導光部材が、直径がφ８ｍｍの円板に孔径寸法がφ０．２ｍｍで孔数を１００個以上形成した細管からなる導光部材Ａと直径寸法がφ３ｍｍの円板に孔径寸法がφ０．２ｍｍで孔数を２０個以上形成した細管からなる導光部材Ｂとの２種類からなる請求項１及び２に記載の装飾的な明かりを発する照明装置。
【請求項４】
放光面板は、アルミニウムや金属系の材料、あるいはプラスチック材料、石英またはセラミックス材料からなり、かつ、円板の厚さが１ｍｍ乃至４ｍｍからなる導光部材を保持するために必要な厚みを有しており、前記導光部材が圧入、嵌合及び接着法等により配設されている請求項１乃至３に記載の装飾的な明かりを発する照明装置。
【請求項５】
赤、青、緑の三原色をはじめ無数の色調を有するＬＥＤ光源のうち、少なくとも１種類の異なる色調のＬＥＤ光源を取付けた請求項１乃至４に記載の装飾的な明かりを発する照明装置。
【発明の詳細な説明】
【技術分野】
【０００１】  本発明は、放光面板に配設した無数の導光部材に形成した７個以上の細孔を通して、ＬＥＤ光源の光を放光することにより、光の輝度を柔らげ、幻想的で癒しの効果のある装飾的な明かりを発する照明装置に関する。
【背景技術】
【０００２】  各種仕様の照明装置の消費電力を抑制するために、最近は発光ダイオード（ＬＥＤ）を用いた照明装置が多用されるようになるとともに、装飾性を有する照明装置が開示されている。【０００３】  例えば、透光性のアクリル樹脂で形成したドーナツ状の円筒に等角位に配設したＬＥＤの光を、反射板で反射するようにした円筒を積み重ねることにより、透光性を有する円筒内に光が拡散して、周囲の空間に優雅な雰囲気を醸し出す花立用の筒を挿入する照明機能を有する装飾体がある（特許文献１参照）。【０００４】  また、側面が縦長で断面が４角形状の照明器具の内側向きに、長さの異なる複数枚のガラス板の内向き側端面をランダムにカットし、多数の凹凸を形成して貼り合わせたものからなる４セットを、内側向きに対向するように配置して、その外側をガラスケースで被い、ガラス板の下側端面に取付けたＬＥＤの光をガラス板内で屈折・乱反射を行わせて装飾用の照明器具としたものがある（特許文献２参照）。【０００５】  更に、ＬＥＤから出射した光を導光体内部に入射させてローソク形状を模した光出射部から出射することにより、ローソクの炎の形状に光る光出射部をプリズムシートを介して観察することで、ＬＥＤから出射した光を、更にローソクに近い形状に装飾された状態で観察できる照明装置が開示されている（特許文献３参照）。【０００６】  また更に、ＬＥＤを使用した発光体と該発光体の外側周囲を取り囲んで配置した装飾体とから構成し、該装飾体は陶器、磁器、硝子などの食器に適した材料で筒状の胴体に形成され、該胴体には透光孔を設け、発光体の光を外部に透過するようにするとともに胴体上部に皿状体を設けて、皿状体に料理を盛り付けて食卓上を暈し照明するようにした装飾装置がある（特許文献４参照）。
【先行技術文献】
【特許文献】
【０００７】
【特許文献１】特開２００３−３９８９８
【特許文献２】特開２００６−１２５４３
【特許文献３】特開２０１２−１８２０５５
【特許文献４】特開２０１３−５２６６７
【発明の概要】
【発明が解決しようとする課題】
【０００８】  これ等従来の装飾性のある照明装置は、いずれも縦方向にある程度の高さを有する静置型で、しかも全周囲方向に光を出射する方式の照明装置であり、非常に小型で持ち運び可能な装置にしたり、あるいは一方方向のみを照らす装置とするには適していない。【０００９】  また、いずれの照明装置も、ＬＥＤから出射した光を、反射板で反射させたり、光を屈折あるいは散乱させることにより、それ相応の装飾性のある照明効果を得ているが、ＬＥＤ光源特有の透明で眩しい感じの輝きを美しく柔らげるには不充分であった。【００１０】  本発明の第一の目的は、ＬＥＤ発光体が発する光の輝度を柔らげ幻想的で癒しの効果のある装飾的な明かりを発する照明装置を得ることにある。【００１１】  また、本発明の第二の目的は、第一の目的を達成し、かつ、小型で持ち運び可能な装置にすることができ、しかも平面型１方向照明装置を提供することにある。【００１２】  また更に、本発明の第三の目的は、ＬＥＤ光源の発する赤、橙、黄、緑、青、紫等の色調を照明デザインに基づいて配設することにより、もともと自然界にあって美しいと感動するような明かりを放光する照明装置を提供することにある。
【課題を解決するための手段】
【００１３】  上記課題を解決するため、本発明は以下の手段から構成される。【００１４】  本発明は、放光面板とＬＥＤ光源を取付ける基板と、裏面及び外周用カバーとスタンド部とからなる照明装置において、放光面板の中心及び中心から外周方向に渡って半径寸法がそれぞれ異なる複数の同心円上に導光部材を複数個ずつ配設するとともに、照明装置内部に組込んだ基板に、ＬＥＤ発光体を前記導光部材と対向する位置に取付けて、ＬＥＤ発光体の光を導光部材を通して、前記放光面板から放光するようにした装飾的な明かりを発する照明装置とする。【００１５】  また、導光部材は、直径寸法がφ１ｍｍ乃至φ１０ｍｍの範囲内で、厚みが１ｍｍ乃至４ｍｍの円板に、孔径寸法がφ０．１ｍｍ乃至φ０．７ｍｍの細孔を７個以上形成した細管の内、前記直径寸法の異なる少なくとも１種類の細管からなることを特徴とする請求項１に記載の装飾的な明かりを発する照明装置とする。【００１６】  更に、導光部材は、直径がφ８ｍｍの円板に孔径寸法がφ０．２ｍｍで孔数を１００個以上形成した細管からなる導光部材Ａと直径寸法がφ３ｍｍの円板に孔径寸法がφ０．２ｍｍで孔数を２０個以上形成した細管からなる導光部材Ｂとの２種類からなる請求項１及び２に記載の装飾的な明かりを発する照明装置とする。【００１７】  本発明の放光面板は、アルミニウムや金属系の材料、あるいはプラスチック材料、石英またはセラミックス材料からなり、かつ、円板の厚さが１ｍｍ乃至４ｍｍからなる導光部材を保持するために必要な厚みを有しており、前記導光部材が圧入、嵌合及び接着法等により配設されている請求項１乃至３に記載の装飾的な明かりを発する照明装置とする。【００１８】  赤、青、緑の三原色をはじめ無数の色調を有するＬＥＤ光源のうち、少なくとも１種類の異なる色調のＬＥＤ光源を取付けた請求項１乃至４に記載の装飾的な明かりを発する照明装置とする。
【発明の効果】
【００１９】  本発明に係る照明装置は、以下に示すような優れた効果を発揮する。【００２０】  １．ＬＥＤ光源の光を、直径寸法がφ１ｍｍ乃至φ１０ｍｍで、孔径がφ０．１ｍｍ乃至φ０．７ｍｍで孔数を７個以上形成した細管からなり、直径寸法が１種類または少なくとも２種類の導光部材から放光するので、透明で眩しい感じの輝きを美しく柔らかくする効果がある。【００２１】  ２．ＬＥＤ発光体の光を放光面板に配設した導光部材の細管を通して明かりを発するように構成しているので、スタンドタイプのみならず、壁面に取付ける平面型１方向照明装置とすることもできる。【００２２】  ３．ＬＥＤ光源が発する各種色調の光を複数の半径が異なる同心円上に配設した導光部材から放光させる場合に、美的な照明を得られるように配色することにより、各種色調が複合された装飾的な明かりを発する照明装置にすることができる。【００２３】  ４．各種色調のＬＥＤ発光体の取り付け位置を、装飾的な照明デザインに応じて自由に変更することができるので、何種類もの装飾照明装置に変更することができる。【００２４】  ５．導光部材Ａに対向する基板には、φ５ｍｍまたはφ３ｍｍの砲弾型、ドーム型や角型及び臼型等各種のＬＥＤを取付けて、光の半減角の小さな直進型の光や半減角の大きな拡散光を組合せて取付けることにより、光の強弱のみならず、深みのある照明を得ることができる。【００２５】  ６．非常に小型で省エネ性とすることができるので、装飾的な明かりを発する照明装置のみならず常夜燈等としても利用できる。【００２６】  ７．スタンド基台部分を嵌め外し可能型に構成することにより、持ち運びに適した状態で収納できる。
【図面の簡単な説明】
【００２７】
【図１】  本発明の照明装置の放光面板に導光部材Ａ、Ｂを配設した状態を示す正面図である。
【図２】  本発明の照明装置の図１のＡ−Ａ断面を模式図で示す。
【図３】  本発明の照明装置に配設する導光部材の１例であり、（ａ）は、平面図を示し、（ｂ）は（ａ）のＸ−Ｘ断面図を示す。
【図４】  本発明の照明装置の図１とは別構成のＡ−Ａ断面を模式図で示す。
【発明を実施するための形態】
【００２８】  本発明の装飾的な明かりを発する照明装置の実施の形態を図面に基づいて説明する。
【実施例１】
【００２９】  先ず、図１に示す導光部材Ａ５及びＢ６は、イットリアで部分安定化したジルコニア粉末にバインダーを配合した粘土状の混練体を押出成形法により成形して乾燥させた成形体を焼結した後、外径をφ８ｍｍ及びφ３ｍｍに研削して、長さを２ｍｍ乃至４ｍｍに切断する方法により作製した。【００３０】  本実施例に用いた導光部材Ａ５は、押出成形法により孔径寸法がφ０．２ｍｍで孔数が２１２個形成されており、導光部材Ｂ６は、同様の方法により孔径寸法がφ０．２ｍｍで孔数が５２個形成された細管を用いた。【００３１】  次いで、放光面板３は、金属Ａ１材の外周を内接円寸法が１００ｍｍからなる８角形にカットし、導光部材Ａ５を配設する位置に、孔の直径がφ８ｍｍとφ６ｍｍとからなる段付穴を形成し、直径φ８ｍｍ×厚さ２ｍｍの導光部材Ａ５をＡ１板の内側のφ８ｍｍの穴に接着剤を用いて固定している。【００３２】  導光部材Ｂ６を配設する位置には、孔の直径がφ３ｍｍとφ２．５ｍｍとからなる段付穴を形成し、直径φ３×厚さ２ｍｍの導光部材Ｂ６をＡ１板の内側のφ８ｍｍの穴に接着剤を用いて固定することにより放光面板３を作製した。【００３３】  一方、照明装置内部に組込む基板１３については、組込み固定具の図示を省略しているが、厚みが２ｍｍの金属Ａ１板に、放光面板３に配設した導光部材Ａ５及びＢ６と対向する位置に外径がφ５ｍｍとφ３ｍｍのＬＥＤ発光体を取付けた。【００３４】  また、スタンド基台部分７には、１００ボルトあるいは電池等の電源部品及び点滅装置他の電装部品を収納することができるスペースを設け、かつ倒れ難いように重心が低くなる役割を与えている。【００３５】  更に、外周用カバー４は、照明装置内部に埃が入らないように放光面板３と一体形成し、この外周用カバー４に裏面用カバー１５をネジ止め等により、嵌め外し可能な状態で密閉している。
【実施例２】
【００３６】  本実施例は、図４に示すように実施例１と基本的にほとんど同じ構成で防水型の照明装置を形成しているので、実施例１との相違点のみを以下に示す。【００３７】  先ず、導光部材１７は、細孔１８からの水の浸入を防止するために透明性の樹脂フィルム１９で外表面側を接着シールしている。【００３８】  また、外周カバー４と裏面カバー１５との組み付け部にはＯリング２０を設けて、Ｏリング２０の外周側をビス止め固定している。【００３９】  更に、スタンド脚部８は、タップネジの後方にＯリング２１を設けておき、外周カバー４にねじ込むことにより防水されるようにしている。【００４０】  更に、スタンド基台部分７のコンセント用リード線は、シリコンシーリング剤２５やゴム系シーリング剤２５で封止するとともに、スタンド脚部８はスタンド基台部分７にねじ込み、Ｏリング２３でシールするようにしている。【００４１】  以上の構成によって、照明装置１を形成することにより、外周カパー４に組み付け及び内蔵されたＬＥＤ発光体１４及び基板１３等は、完全に防水シールされる。【００４２】  上述した要領で完成させた本発明の照明装置の電源をオンにした結果、ＬＥＤ光源１４の発する光は、本来透明で冷たくて眩しい感じを受けるのが通常であるが、本発明の照明装置によれば、導光部材Ａ５、Ｂ６の面積に対して細孔の占める面積の割合が数分の１と少ないために、導光部材Ａ５、Ｂ６を通して放光する明かりは、ＬＥＤ光源１４の輝きが削減されることにより眩しさが緩和され、しかも細孔を通過することにより、ＬＥＤ光源１４の透明な輝きが美しく柔らげられる結果、放光面板３から幻想的な明かりを発生する効果が得られた。【００４３】  また更に、放光面板３の外周方向の同心円上の導光部材１７から中央方向に向けての同心円上の導光部材１７の位置と対向する基板１３の位置に、外周方向の同心円の位置から順々に異なる色調を有するＬＥＤ発光体１４を配設して、電源をオンにした結果、放光面板３から異なる光の輪を発する安らぎのある幻想的な照明が得られることが判明した。【００４４】  ところで、放光面板３の材料として、前記実施例では金属Ａ１材料を用いたが、加工が容易なことやインジェクション法等により安価に製造できるプラスチック材料も用いることができる。【００４５】  次に、本実施例では、図１に示しているように放光面板３に配設した導光部材Ａ５の個数は２５個であり、導光部材Ｂ６の個数は７２個であり、導光部材Ａ５、Ｂ６の合計は９７箇所となり、これと対応するように放光面板３を構成した。【００４６】  ところで、直径寸法がφ１ｍｍ乃至φ１０ｍｍからなる導光部材は、１種類のみでもよいが、少なくとも２種類配設することが好ましい。また、放光面板の面積に応じて、直径寸法の小さな導光部材の配設個数は多く、大きな導光部材は若干少なくするのが好ましい。【００４７】  導光部材１７の大きさは、実施例のように直径寸法がφ８ｍｍとφ３ｍｍの２種類のみならず、φ１ｍｍやφ４ｍｍやφ１０ｍｍ等の任意の大きさを組合せることができ、このように組合せることにより、またＬＥＤ光源を点滅させることにより、大中小の星からなる夜空のような風情を醸し出す効果を得ることもできる。【０���４８】  なお、導光部材Ａ５及びＢ６を構成する細管は、外径をφ１ｍｍ乃至φ１０ｍｍの範囲内の任意寸法で形成することができる。また、孔径寸法については、直径がφ０．１ｍｍ未満の場合は、細管の製造が困難となり、φ０．７ｍｍを超えるとＬＥＤ光源の眩しさを緩和する効果が少なくなるので、φ０．１ｍｍ乃至φ０．５ｍｍの範囲で形成するのが最も好ましい。【００４９】  なおまた、細管の孔数については、細管の外径寸法によって左右されるが、例えば、細管の直径がφ３ｍｍで孔径寸法がφ０．２ｍｍの場合は２０個乃至５２個で、細管の直径がφ８ｍｍで孔径寸法がφ０．２ｍｍの場合は１００個乃至２１２個の範囲で形成することができる。
【産業上の利用可能性】
【００５０】  本発明の装飾的な明かりを発する照明装置は、消費電力が少なくて幻想的で癒しの効果がある小型照明器具及び常夜燈等として利用可能である。
【符号の説明】
【００５１】  １    装飾的な明かりを発する照明装置
２    照明装置本体
３    放光面板
４    外周カバー
５    導光部材Ａ
６    導光部材Ｂ
７    スタンド基台部分
８    スタンド脚部
９    凹状放光面板テーパー部
１０    外周カバーテーパー部
１１    細管（導光部材Ａ）
１２    細管（導光部材Ｂ）
１３    基板
１４    ＬＥＤ発光体（ＬＥＤ光源）
１５    裏面カバー
１６    段付穴部
１７    導光部材（細管）
１８    細孔
１９    導光部材に接着した樹脂フィルム
２０    Ｏリング
２１    スタンド脚部Ｏリング
２２    ねじ込みタップ部
２３    スタンド基台部Ｏリング
２４    スタンド基台部ネジ
２５    リード線シーリング剤
【図１】
2015005487.tif 000003
【図２】
2015005487.tif 000004
【図３】
2015005487.tif 000005
【図４】
2015005487.tif 000006